(57)【要約】【課題】周囲の明るさに応じて画面サイズを切り換えることができるテレビジョン受像機を提供する。【解決手段】２段階画面サイズ自動切換モードに設定されている場合に、明るさセンサの検出値と設定値とが検出値／設定値比較手段により比較され、検出値が設定値以下であると判定されたとき、画面サイズ切換手段により、現在の画面サイズが小画面サイズに切り換えられ、検出値が設定値を超えると判定されたときは、現在の画面サイズが大画面サイズに切り換えられる。この２段階画面サイズ自動切換モードでは、テレビジョン受像機が置かれている部屋の明るさが、暗くなって、明るさランクの設定値が示す明るさになったとき、ディスプレイ装置に表示される画面のサイズを大画面から小画面に切り換えることができる。【選択図】図７
2008236299.tif 000002
【特許請求の範囲】
【請求項１】
入力された映像信号を所定処理してディスプレイ装置に画像を表示させ、ディスプレイ装置の表示領域のサイズである画面サイズをも切り換え可能にするテレビジョン受像機であって、
周囲の明るさのランクに応じてディスプレイ装置の画面のサイズを小画面から大画面または大画面から小画面に切り換える処理を実行させるための２段階画面サイズ自動切換モードに設定されている場合に、
周囲の明るさを検出するために設けられた明るさセンサの検出値と、周囲の明るさのランクのうち選択された明るさのランクに対応する設定値とを比較する検出値／設定値比較手段と、
前記検出値が前記設定値以下であると判定されたとき、現在の画面サイズを小画面サイズに切り換え、前記検出値が前記設定値を超えると判定されたとき、現在の画面サイズを大画面サイズに切り換える画面サイズ切換手段と、
画面サイズ手動切換モードに設定された場合には、手動で切り換えられた画面サイズに設定する画面サイズ設定手段と、を有する画面サイズ制御部を備えたことを特徴とするテレビジョン受像機。
【請求項２】
入力された映像信号を所定処理してディスプレイ装置に画像を表示させ、ディスプレイ装置の表示領域のサイズである画面サイズをも切り換え可能にするテレビジョン受像機であって、
選択され設定された複数段階の明るさランクに応じて前記ディスプレイ装置の画面のサイズを複数段階に画面サイズを切り換える処理を実行させるための複数段階画面サイズ自動切換モードに設定されている場合に、
周囲の明るさを検出するために設けられた明るさセンサの検出値と、前記複数段階の明るさランクにそれぞれ対応する各設定値とを比較する検出値／設定値比較手段と、
前記検出値と前記各設定値との比較結果に応じて現在の画面サイズを前記複数段階の画面サイズのうちの画面サイズに切り換える画面サイズ切換手段と、
画面サイズ手動切換モードに設定された場合には、手動で切り換えられた画面サイズに設定する画面サイズ設定手段と、を有する画面サイズ制御部を備えたことを特徴とするテレビジョン受像機。
【請求項３】
入力された映像信号を所定処理してディスプレイ装置に画像を表示させ、ディスプレイ装置の表示領域のサイズである画面サイズをも切り換え可能にするテレビジョン受像機であって、
周囲の明るさのランクに応じてディスプレイ装置の画面のサイズを小画面から大画面または大画面から小画面に切り換える処理を実行させるための２段階画面サイズ自動切換モードに設定されている場合に、
周囲の明るさを検出するために設けられた明るさセンサの検出値と、周囲の明るさのランクのうち選択された明るさのランクに対応する設定値とを比較する検出値／設定値比較手段と、
前記検出値が前記設定値以下であると判定されたとき、現在の画面サイズを小画面サイズに切り換え、前記検出値が前記設定値を超えると判定されたとき、現在の画面サイズを大画面サイズに切り換える画面サイズ切換手段と、を有する画面サイズ制御部を備えたことを特徴とするテレビジョン受像機。
【請求項４】
入力された映像信号を所定処理してディスプレイ装置に画像を表示させ、ディスプレイ装置の表示領域のサイズである画面サイズをも切り換え可能にするテレビジョン受像機であって、
選択され設定された複数段階の明るさランクに応じて前記ディスプレイ装置の画面のサイズを複数段階に画面サイズを切り換える処理を実行させるための複数段階画面サイズ自動切換モードに設定されている場合に、
周囲の明るさを検出するために設けられた明るさセンサの検出値と、前記複数段階の明るさランクにそれぞれ対応する各設定値とを比較する検出値／設定値比較手段と、
前記検出値と前記各設定値との比較結果に応じて現在の画面サイズを前記複数段階の画面サイズのうちの画面サイズに切り換える画面サイズ切換手段と、を有する画面サイズ制御部を備えたことを特徴とするテレビジョン受像機。
【請求項５】
画面サイズ手動切換モードに設定された場合には、手動で切り換えられた画面サイズに設定する画面サイズ設定手段を有する画面サイズ制御部を備えたことを特徴とする請求項３または請求項４に記載のテレビジョン受像機。
【発明の詳細な説明】
【技術分野】
【０００１】
本発明は、入力された映像信号を所定処理してディスプレイ装置に画像を表示させ、ディスプレイ装置の表示領域のサイズである画面サイズをも切り換え可能にするテレビジョン受像機に関し、特に、画面サイズを切り換える処理に関する。
【背景技術】
【０００２】
近年、テレビジョン受像機では、液晶ディスプレイやプラズマディスプレイによるディスプレイ装置が搭載され、画面サイズが３２インチ位のものが主流であり、更に、３７，４２，５０インチと益々画面サイズが大きいものが好まれてきている。一方、ユーザの使い勝手から見たとき、それぞれの画面サイズで視聴するのが、ごく一般的であるが、映画などのスクリーン対応に切り換えて使用することで臨場感のある使い方もできるようになっている。
【特許文献１】特開２００４−１６５７０６号公報
【特許文献２】特開２００２−４１０２６号公報
【特許文献３】特開２００６−８４９１９号公報
【発明の開示】
【発明が解決しようとする課題】
【０００３】
ところで、例えば、画面サイズが３２インチのテレビジョン受像機により番組を視聴するときのユーザの状況を次のように想定した場合、大きな画面よりも小さな画面の方が良い場合が考えられる。
【０００４】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【０００５】
しかしながら、従来のテレビジョン受像機は、周囲の明るさに応じて画面サイズを切り換えることもできるようにした画像処理装置を備えていないので、上記のように、周囲が暗くなったときに、大きな画面よりも小さな画面の方が良い場合があっても、これに対処することができないと言う課題があった。
【０００６】
なお、特許文献１の従来技術では、メモリに録画された画像の再生時に好みの画像サイズ（画面サイズ）に拡大または縮小して表示できるようにしている。したがって、低画質で録画された画像を再生時に拡大して表示すると、荒い画質になるが、縮小して画像を表示すると、その画像は綺麗に見えるようになり、また、高画質で録画された画像であった場合は、再生時に拡大して表示しても、画質が殆ど変わることがないので、画像を拡大しても綺麗に見えることになる。また、画像のコンテンツの表現を演出するため、画像の拡大や縮小をコンテンツ再生に連動させることができるようにしている。しかし、この従来技術は、周囲の明るさに応じて、画面サイズを切り換えるようにしたものではないので、上記のような課題を解決できるものではない。
【０００７】
特許文献２の従来技術は、画面サイズに応じてＯＳＤ表示サイズを自動的に変更できるようにしたものであるが、周囲の明るさに応じて、画面サイズを切り換えるようにしたものではない。また、特許文献３の従来技術は、タッチパネル画面の表示されたナビゲーションのポイントをタッチすることで、部分拡大して表示できるようにしているが、この従来技術も、周囲の明るさに応じて、画面サイズを切り換えるようにしたものではない。
【０００８】
本発明は、上記のような課題を解決するためになされたもので、周囲の明るさに応じて画面サイズを切り換えることができるテレビジョン受像機を提供することを目的とする。
【課題を解決するための手段】
【０００９】
上記目的を達成するために、請求項１の発明は、周囲の明るさのランクに応じてディスプレイ装置の画面のサイズを小画面から大画面または大画面から小画面に切り換える処理を実行させるための２段階画面サイズ自動切換モードに設定されている場合に、周囲の明るさを検出するために設けられた明るさセンサの検出値と、周囲の明るさのランクのうち選択された明るさのランクに対応する設定値とを比較する検出値／設定値比較手段と、前記検出値が前記設定値以下であると判定されたとき、現在の画面サイズを小画面サイズに切り換え、前記検出値が前記設定値を超えると判定されたとき、現在の画面サイズを大画面サイズに切り換える画面サイズ切換手段と、画面サイズ手動切換モードに設定された場合には、手動で切り換えられた画面サイズに設定する画面サイズ設定手段とを有する画面サイズ制御部を備えたことを特徴とするテレビジョン受像機を提供する。
【００１０】
この構成において、２段階画面サイズ自動切換モードに設定されている場合に、明るさセンサの検出値と設定値とが検出値／設定値比較手段により比較され、前記検出値が前記設定値以下であると判定されたとき、画面サイズ切換手段により、現在の画面サイズが小画面サイズに切り換えられ、前記検出値が前記設定値を超えると判定されたときは、現在の画面サイズが大画面サイズに切り換えられる。画面サイズ手動切換モードに設定された場合には、画面サイズ設定手段により、手動で切り換えられた画面サイズが設定される。
【００１１】
この構成によれば、２段階画面サイズ自動切換モードでは、テレビジョン受像機が置かれている部屋の明るさが、暗くなって、明るさランクの設定値が示す明るさになったとき、ディスプレイ装置に表示される画面のサイズを大画面から小画面に切り換えることができるので、次のような場合に効果を発揮することができる。
【００１２】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００１３】
また、画面サイズ手動切換モードに設定された場合には、手動で切り換えられた画面サイズに設定することができるので、ユーザは、部屋の状態に応じて好みの画面サイズで番組を視聴することができる。
【００１４】
請求項２の発明は、選択され設定された複数段階の明るさランクに応じて前記ディスプレイ装置の画面のサイズを複数段階に画面サイズを切り換える処理を実行させるための複数段階画面サイズ自動切換モードに設定されている場合に、周囲の明るさを検出するために設けられた明るさセンサの検出値と、前記複数段階の明るさランクにそれぞれ対応する各設定値とを比較する検出値／設定値比較手段と、前記検出値と前記各設定値との比較結果に応じて現在の画面サイズを前記複数段階の画面サイズのうちの画面サイズに切り換える画面サイズ切換手段と、画面サイズ手動切換モードに設定された場合には、手動で切り換えられた画面サイズに設定する画面サイズ設定手段とを有する画面サイズ制御部を備えたことを特徴とするテレビジョン受像機を提供する。
【００１５】
この構成において、複数段階画面サイズ自動切換モードに設定されている場合に、明るさセンサの検出値と各設定値とが検出値／設定値比較手段により比較される。前記検出値と前記各設定値との比較結果に応じて、画面サイズ切換手段により、現在の画面サイズが前記複数段階の画面サイズのうちの画面サイズに切り換えられる。画面サイズ手動切換モードに設定された場合には、画面サイズ設定手段により、手動で切り換えられた画面サイズが設定される。
【００１６】
この構成によれば、複数段階画面サイズ自動切換モードでは、テレビジョン受像機が置かれている部屋の明るさが、暗くなって、明るさランクの設定値が示す明るさになったとき、ディスプレイ装置に表示される画面のサイズを段階的に小さく切り換えることができるので、次のような場合に効果を発揮することができる。
【００１７】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００１８】
また、画面サイズ手動切換モードに設定された場合には、手動で切り換えられた画面サイズに設定することができるので、ユーザは、部屋の状態に応じて好みの画面サイズで番組を視聴することができる。
【００１９】
請求項３の発明は、周囲の明るさのランクに応じてディスプレイ装置の画面のサイズを小画面から大画面または大画面から小画面に切り換える処理を実行させるための２段階画面サイズ自動切換モードに設定されている場合に、周囲の明るさを検出するために設けられた明るさセンサの検出値と、周囲の明るさのランクのうち選択された明るさのランクに対応する設定値とを比較する検出値／設定値比較手段と、前記検出値が前記設定値以下であると判定されたとき、現在の画面サイズを小画面サイズに切り換え、前記検出値が前記設定値を超えると判定されたとき、現在の画面サイズを大画面サイズに切り換える画面サイズ切換手段とを有する画面サイズ制御部を備えたことを特徴とするテレビジョン受像機を提供する。
【００２０】
この構成において、２段階画面サイズ自動切換モードに設定されている場合に、明るさセンサの検出値と設定値とが検出値／設定値比較手段により比較され、前記検出値が前記設定値以下であると判定されたとき、画面サイズ切換手段により、現在の画面サイズが小画面サイズに切り換えられ、前記検出値が前記設定値を超えると判定されたときは、現在の画面サイズが大画面サイズに切り換えられる。画面サイズ手動切換モードに設定された場合には、画面サイズ設定手段により、手動で切り換えられた画面サイズが設定される。
【００２１】
この構成によれば、２段階画面サイズ自動切換モードでは、テレビジョン受像機が置かれている部屋の明るさが、暗くなって、明るさランクの設定値が示す明るさになったとき、ディスプレイ装置に表示される画面のサイズを大画面から小画面に切り換えることができるので、次のような場合に効果を発揮することができる。
【００２２】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００２３】
請求項４の発明は、選択され設定された複数段階の明るさランクに応じて前記ディスプレイ装置９の画面のサイズを複数段階に画面サイズを切り換える処理を実行させるための複数段階画面サイズ自動切換モードに設定されている場合に、周囲の明るさを検出するために設けられた明るさセンサの検出値と、前記複数段階の明るさランクにそれぞれ対応する各設定値とを比較する検出値／設定値比較手段と、前記検出値と前記各設定値との比較結果に応じて現在の画面サイズを前記複数段階の画面サイズのうちの画面サイズに切り換える画面サイズ切換手段とを有する画面サイズ制御部を備えたことを特徴とするテレビジョン受像機を提供する。
【００２４】
この構成において、複数段階画面サイズ自動切換モードに設定されている場合に、明るさセンサの検出値と各設定値とが検出値／設定値比較手段により比較される。前記検出値と前記各設定値との比較結果に応じて、画面サイズ切換手段により、現在の画面サイズが前記複数段階の画面サイズのうちの画面サイズに切り換えられる。画面サイズ手動切換モードに設定された場合には、画面サイズ設定手段により、手動で切り換えられた画面サイズが設定される。
【００２５】
この構成によれば、複数段階画面サイズ自動切換モードでは、テレビジョン受像機が置かれている部屋の明るさが、暗くなって、明るさランクの設定値が示す明るさになったとき、ディスプレイ装置に表示される画面のサイズを段階的に小さく切り換えることができるので、次のような場合に効果を発揮することができる。
【００２６】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００２７】
請求項５の発明では、請求項３または請求項４において、画面サイズ手動切換モードに設定された場合には、手動で切り換えられた画面サイズに設定する画面サイズ設定手段を有する画面サイズ制御部を備えたので、画面サイズ手動切換モードに設定された場合には、手動で切り換えられた画面サイズに設定することができ、これにより、ユーザは、部屋の状態に応じて好みの画面サイズで番組を視聴することができる。
【発明の効果】
【００２８】
以上のように本発明によれば、２段階画面サイズ自動切換モードでは、テレビジョン受像機が置かれている部屋の明るさが、暗くなって、明るさランクの設定値が示す明るさになったとき、ディスプレイ装置に表示される画面のサイズを大画面から小画面に切り換えることができるので、次のような場合に効果を発揮することができる。
【００２９】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００３０】
また、本発明によれば、複数段階画面サイズ自動切換モードでは、テレビジョン受像機が置かれている部屋の明るさが、暗くなって、明るさランクの設定値が示す明るさになったとき、ディスプレイ装置に表示される画面のサイズを段階的に小さく切り換えることができるので、上記と同様な効果を発揮することができる。
【００３１】
また、本発明によれば、画面サイズ手動切換モードに設定された場合には、手動で切り換えられた画面サイズに設定することができるので、ユーザは、部屋の状態に応じて好みの画面サイズで番組を視聴することができる。
【発明を実施するための最良の形態】
【００３２】
以下、添付図面を参照しつつ、本発明の実施の形態について説明する。図１は本発明の第１，第２の実施形態に係るテレビジョン受像機の構成を示すブロック図である。
【００３３】
図１において、テレビジョン受像機は、画像処理装置Ａとディスプレイ装置９とシステムコントローラ１０とリモコン受信部１１とを含み構成される。画像処理装置Ａは、アンテナａを介してテレビ放送信号を受信して動画像信号を生成するテレビ受信部１と、このテレビ受信部１で生成された動画像信号をデジタル化して圧縮した形式で符号化する符号化部２と、この符号化部２における符号化処理に用いられる符号化パラメータを設定するパラメータ設定部３と、符号化部２にて符号化された動画像データ（以下、符号化データと言う）を蓄積する蓄積部４と、この蓄積部４に蓄積された符号化データを復号して動画像信号を再生する復号部５と、この復号部５で再生された動画像信号によりディスプレイ装置９に表示される画像の画面サイズを設定して画面サイズが設定された動画像信号を出力する画面サイズ設定処理部６と、この画面サイズ設定処理部９で設定される画面サイズを変更したりする画面サイズ制御部８とを備えている。
【００３４】
また、テレビジョン受像機は、画面サイズ設定処理部６からの動画画像信号、またはテレビ受信部１からの動画像信号を入力して動画像を画面に表示させる液晶パネルなどで実現されるディスプレイ装置９と、受像機全体を制御するシステムコントローラ１０と、リモコン１２からの赤外線の操作信号を受信して電気信号の操作信号に変換して電気信号の操作信号をシステムコントローラ１０に入力するリモコン受信部１１とを備えている。
【００３５】
画面サイズ制御部８は、第１の実施形態においては、周囲の明るさのランクに応じてディスプレイ装置９の画面のサイズを小画面から大画面または大画面から小画面に切り換える処理を実行させるための２段階画面サイズ自動切換モードに設定されている場合に、周囲の明るさを検出するために設けられた明るさセンサ７の検出値と、周囲の明るさのランクのうち選択された明るさのランクに対応する設定値とを比較する検出値／設定値比較手段と、前記検出値が前記設定値以下であると判定されたとき、現在の画面サイズを小画面サイズに切り換え、前記検出値が前記設定値を超えると判定されたとき、現在の画面サイズを大画面サイズに切り換える画面サイズ切換手段と、画面サイズ手動切換モードに設定された場合には、手動で切り換えられた画面サイズに設定する画面サイズ設定手段とを有する。
【００３６】
また、画面サイズ制御部８は、選択され設定された複数段階の明るさランクに応じてディスプレイ装置９の画面のサイズを複数段階に画面サイズを切り換える処理を実行させるための複数段階画面サイズ自動切換モードに設定されている場合に、周囲の明るさを検出するために設けられた明るさセンサ７の検出値と、前記複数段階の明るさランクにそれぞれ対応する各設定値とを比較する検出値／設定値比較手段と、前記検出値と前記各設定値との比較結果に応じて現在の画面サイズを前記複数段階の画面サイズのうちの画面サイズに切り換える画面サイズ切換手段と、画面サイズ手動切換モードに設定された場合には、手動で切り換えられた画面サイズに設定する画面サイズ設定手段とを有する。
【００３７】
第２の実施形態においては、画面サイズ制御部８は、選択され設定された３段階の明るさランクに応じてディスプレイ装置９の画面のサイズを３段階に画面サイズを切り換える処理を実行させるための３段階画面サイズ自動切換モードに設定されている場合に、周囲の明るさを検出するために設けられた明るさセンサ７の検出値と、前記３段階の明るさランクに応じて設定され現在の画面サイズを各明るさランクに応じた画面サイズにそれぞれ切り換えるために予め設定された各設定値Ｌ１，Ｌ２，Ｌ３とを比較する検出値／設定値比較手段と、前記検出値と前記各設定値Ｌ１，Ｌ２，Ｌ３との比較結果に応じて現在の画面サイズを３段階にそれぞれ切り換える画面サイズ切換手段とを有する。なお、ここでは、３段階の明るさランクに応じて３段階の画面サイズにそれぞれ切り換えるようにしているが、これに限らず、複数段階の明るさランクに応じて複数段階の画面サイズにそれぞれ切り換えるようにしても良い。
【００３８】
図２は第１，第２の実施形態においてディスプレイ装置に表示される画面サイズ切換モード選択画面の一例を示す表示画面図である。この画面サイズ切換モード選択画面Ｇ１には、例えば、３段階設けられた明るさランクのうちで選択され設定された明るさランクになったときディスプレイ装置９の画面のサイズを大画面から小画面に画面サイズを切り換える処理を実行させるための２段階画面サイズ自動切換モードに設定するための項目「２段階画面サイズ自動切換モード」と、選択され設定された例えば、３段階の明るさランクに応じてディスプレイ装置９の画面のサイズを３段階に切り換える処理を実行させるための３段階画面サイズ自動切換モードに設定するための項目「３段階画面サイズ自動切換モード」と、ディスプレイ装置９の画面のサイズをユーザの好みで切り換えることができるようにする画面サイズ手動切換モードに設定するための項目「画面サイズ手動切換モード」とが表示されている。
【００３９】
図３は図２に示す画面サイズ切換モード選択画面Ｇ１に表示されている項目「２段階画面サイズ自動切換モード」がリモコン操作により選択され決定された場合にディスプレイ装置９に表示される２段階画面サイズ設定項目画面の一例を示す表示画面図である。この２段階画面サイズ設定項目画面Ｇ２には、大画面に設定される時の画面サイズの設定値（５０，４２，３７）と、小画面に設定される時の画面サイズの設定値（３２，２０）と、画面サイズの切換時の明るさランクの設定項目（明るさランクの設定値Ｌ１，Ｌ２，Ｌ３）とが表示されている。なお、５０，４２，３７，３２，２０は、画面サイズのインチ数を示す。
【００４０】
図４は図２に示す画面サイズ切換モード選択画面Ｇ１に表示されている項目「３段階画面サイズ自動切換モード」がリモコン操作により選択され決定された場合にディスプレイ装置９に表示される３段階画面サイズ設定項目画面の一例を示す表示画面図である。この３段階画面サイズ設定項目画面Ｇ３には、大画面に設定される時の画面サイズの設定値（５０，４２）と、中画面に設定される時の画面サイズの設定値（３７）と、小画面に設定される時の画面サイズの設定値（３２，２０）と、画面サイズの切換時の明るさランクの設定項目（明るさランクの設定値Ｌ１，Ｌ２，Ｌ３）とが表示されている。
【００４１】
図５は図２に示す画面サイズ切換モード選択画面Ｇ１に表示されている項目「画面サイズ手動切換モード」がリモコン操作により選択され決定された場合にディスプレイ装置９に表示される画面サイズ手動設定項目画面の一例を示す表示画面図である。この画面サイズ手動設定項目画面Ｇ４には、ユーザが好む画面サイズに設定できるように、画面サイズ設定値（５０，４２，３７，３２，２０）が表示されている。
【００４２】
図６は第１の実施形態において画面サイズが縮小された場合と画面サイズが拡大された場合を説明するための表示画面図である。図６において、６１はディスプレイ装置の全体の画面を示し、６２は画面サイズが縮小された画面を示す。したがって、画面サイズが大きく設定された場合は、画像は画面６１に表示され、画面サイズが小さく設定された場合は、画像は画面６２に表示される。図６の（１）では、表示領域である画面６１が縮小されると、画面６１に表示された画像も縮小されて、画面６２に表示されることを示している。図６の（２）では、表示領域である画面６２が拡大されると、画面６２に表示された画像も拡大されて、画面６１に表示されることを示している。
【００４３】
図７は第１の実施形態において２段階画面サイズ自動切換モードに設定された場合および画面サイズ手動切換モードに設定された場合の処理を説明するためのフローチャートである。このフローチャートおよび図１、図２、図３、図５を参照して２段階画面サイズ自動切換モードに設定された場合および画面サイズ手動切換モードに設定された場合の処理について説明する。
【００４４】
先ず、ユーザによりリモコン１２の電源キーが押下され、テレビジョン受像機の電源がオン（ステップＳ１）された後、リモコン１２の機能メニューキーなどの操作により、システムコントローラ１０は、例えば、図２に示すような画面サイズ切換モード選択画面Ｇ１をＯＳＤ処理によりディスプレイ装置９に表示させる。そして、画面サイズ切換モード選択画面Ｇ１において、リモコン１２のカーソルキーや決定キーなどの操作により、項目「２段階画面サイズ自動切換モード」が選択され、決定されると、システムコントローラ１０は、例えば、図２に示すような２段階画面サイズ設定項目画面Ｇ２をＯＳＤ処理によりディスプレイ装置９に表示させる。
【００４５】
ここで、大画面時の画面サイズと小画面時の画面サイズと画面サイズ切換時の明るさランクの設定値とを設定するため、ユーザは、２段階画面サイズ設定項目画面Ｇ２を見て、リモコン１２の操作により、例えば、大画面時のサイズ設定値を５０に設定し（５０インチのテレビジョン受像機の場合はサイズ設定値は５０に設定されているので、設定操作は不要であり、４２に設定する場合には設定操作が必要になる）、小画面時のサイズ設定値を３２に設定し、また、明るさランクの設定値をＬ３に設定する。
【００４６】
このように設定することにより、ディスプレイ装置９に表示される画面が大画面のときは、サイズ設定値が５０（インチ）の画面となり、また、ディスプレイ装置９に表示される画面が小画面のときは、サイズ設定値が３２（インチ）の画面となる。そして、大画面から小画面に切り換えるときの周囲の明るさは、かなり暗くなってからの明るさランクの設定値であるＬ３になる。即ち、周囲の明るさのランクの設定値がＬ３になれば、大画面から小画面に切り換えられ、また、逆に、周囲の明るさが明るさランクの設定値Ｌ３を超えれば、小画面から大画面に切り換えられる。
【００４７】
このように、画面サイズの切り換えを行うために、システムコントローラ１０は、２段階画面サイズ自動切換モードに設定されたことを検知すると（ステップＳ２）、画面サイズ制御部８を駆動させる。これにより、画面サイズ制御部８の検出値／設定値比較手段では、周囲の明るさ（本テレビジョン受像機が置かれている部屋の明るさ）を検出するために設けられた明るさセンサ７の検出値と、周囲の明るさが暗くなったときに現在の画面サイズを小画面サイズに切り換えるために予め設定された設定値（この例の場合、明るさランクの設定値Ｌ３）とを比較する（ステップＳ３）。
【００４８】
前記検出値が前記設定値以下であると判定されたとき（ステップＳ４）、画面サイズ制御部８の画面サイズ切換手段は、画面サイズ設定処理部６にて設定されている画面サイズ情報に基づいて、現在の画面サイズが小画面サイズであるか否かを判定する（ステップＳ５）。前記現在の画面サイズが小画面サイズでないと判定されたとき、画面サイズ制御部８の画面サイズ切換手段は、画面サイズ設定処理部６を制御して現在の画面サイズを小画面サイズに切り換える（ステップＳ６）。なお、前記現在の画面サイズが小画面サイズであると判定されたときは、小画面サイズのまま画像が表示される（ステップＳ７）。
【００４９】
ステップＳ４において、前記検出値が前記設定値を超えると判定されたときは、画面サイズ制御部８の画面サイズ切換手段は、画面サイズ設定処理部６にて設定されている画面サイズ情報に基づいて、現在の画面サイズが大画面サイズであるか否かを判定する（ステップＳ９）。前記現在の画面サイズが大画面サイズでないと判定されたとき、画面サイズ制御部８の画面サイズ切換手段は、画面サイズ設定処理部６を制御して現在の画面サイズを大画面サイズに切り換える（ステップＳ１０）。なお、前記現在の画面サイズが大画面サイズであると判定されたときは、大画面サイズのまま画像が表示される（ステップＳ１４）。ステップＳ６またはステップＳ７またはステップＳ１０またはステップＳ１４の処理の後は、電源がオフされるまでは（ステップＳ８）、同様な処理が行われる。
【００５０】
以上説明したように、２段階画面サイズ自動切換モードでは、テレビジョン受像機が置かれている部屋の明るさが、暗くなって、明るさランクの設定値が示す明るさになったとき、ディスプレイ装置９に表示される画面のサイズを大画面から小画面に切り換えることができるので、次のような場合に効果を発揮することができる。
【００５１】
大きな画面のテレビジョン受像機で番組を視聴する場合、画面との視聴距離が近い環境で使うとき、大きい画面より小さい画面の方が、画像が見易くなる。また、周囲を暗くして、ユーザが一人で番組を楽しむとき、小画面の方が落ち着く場合がある。また、周囲が暗く、画面が大きいと部屋の明るさが増して、周りの明るさを気にする場合に、小画面にして番組を楽しむことができる。画面を小さくすることにより、画面の明るさによる影響を小さくして、周囲に迷惑をかけないようにすることができる。また、ユーザにとっては、暗い場所では画面を小さくすることにより、画面からの眩しさが弱められ、見やすくなる。
【００５２】
次に、画面サイズ切換モード選択画面Ｇ１において、リモコン１２のカーソルキーや決定キーなどの操作により、項目「画面サイズ手動切換モード」が選択され、決定されると、システムコントローラ１０は、例えば、図５に示すような画面サイズ手動設定項目画面Ｇ４をＯＳＤ処理によりディスプレイ装置９に表示させる。そして、ユーザは、画面サイズ手動設定項目画面Ｇ４を見て、リモコン１２の操作により、画面サイズ設定値を選択する。例えば、５０インチのテレビジョン受像機であれば、現在の画面サイズの設定値は５０であるので、このテレビジョン受像機を例えば３２インチのテレビジョン受像機として視聴したい場合、画面サイズ手動設定項目画面Ｇ４上の画面サイズ設定値を３２に設定すれば良いことになる。
【００５３】
したがって、画面サイズ制御部８の画面サイズ設定手段は、画面サイズ手動切換モードに設定されたことを検知すると（ステップＳ１２）、画面サイズ設定処理部６に対して、例えば、３２インチの画面サイズに設定するように指示し、画像を３２インチの画面サイズでディスプレイ装置９に表示させる（ステップＳ１３）。このように、画面サイズ手動切換モードに設定された場合には、手動で切り換えられた画面サイズに設定することができるので、ユーザは、部屋の状態に応じて好みの画面サイズで番組を視聴することができる。
【００５４】
図８は第２の実施形態において３段階画面サイズ自動切換モードに設定された場合の処理を説明するためのフローチャートである。このフローチャートおよび図１、図２、図４を参照して３段階画面サイズ自動切換モードに設定された場合の処理について説明する。ここでは、３段階画面サイズ自動切換モードについて説明するが、複数段階画面サイズ自動切換モードについても同様な処理を適用することができる。
【００５５】
さて、画面サイズ切換モード選択画面Ｇ１において、リモコン１２のカーソルキーや決定キーなどの操作により、項目「３段階画面サイズ自動切換モード」が選択され、決定されると、システムコントローラ１０は、例えば、図４に示すような３段階画面サイズ設定項目画面Ｇ３をＯＳＤ処理によりディスプレイ装置９に表示させる。そして、ユーザは、３段階画面サイズ設定項目画面Ｇ３を見て、リモコン１２の操作により、画面サイズ設定値などを選択する。
【００５６】
ここで、大画面時の画面サイズと中画面時の画面サイズと小画面時の画面サイズと画面サイズ切換時の明るさランクの設定値とを設定するため、ユーザは、３段階画面サイズ設定項目画面Ｇ３を見て、リモコン操作により、例えば、大画面時のサイズ設定値を５０に設定し（５０インチのテレビジョン受像機の場合はサイズ設定値は５０に設定されているので、設定操作は不要であり、４２に設定する場合には設定操作が必要になる）、中画面時のサイズ設定値を３７に設定し、小画面時のサイズ設定値を３２に設定し、また、明るさランクの設定値をＬ１，Ｌ２，Ｌ３に設定する。
【００５７】
このように設定することにより、ディスプレイ装置９に表示される画面が大画面のときは、サイズ設定値が５０（インチ）の画面となり、ディスプレイ装置９に表示される画面が中画面のときは、サイズ設定値が３７（インチ）の画面となり、また、ディスプレイ装置９に表示される画面が小画面のときは、サイズ設定値が３２（インチ）の画面となる。そして、大画面から中画面、中画面から小画面に切り換えるときの周囲の明るさは、段階的に暗くなってからの明るさランクの設定値であるＬ１，Ｌ２，Ｌ３に対応した明るさになる。
【００５８】
したがって、画面サイズ制御部８は、３段階画面サイズ自動切換モードに設定されたことを検知すると（ステップＳ１１）、検出値／設定値比較手段により、明るさセンサ３の検出値と、３段階の明るさランクに対応した設定値Ｌ１，Ｌ２，Ｌ３とを比較する（ステップＳ１５）。
【００５９】
ここで、明るさセンサ３の検出値が設定値Ｌ３以下であると判定されたとき（ステップＳ１６）、画面サイズ制御部８の画面サイズ切換手段は、画面サイズ設定処理部６の画面サイズ情報に基づいて現在の画面サイズが小画面サイズであるか否かを判定する（ステップＳ１７）。前記現在の画面サイズが小画面サイズでないと判定されたとき、画面サイズ制御部８の画面サイズ切換手段は、画面サイズ設定処理部６を制御して現在の画面サイズから小画面サイズに切り換える（ステップＳ１９）。なお、前記現在の画面サイズが小画面サイズであると判定されたときは、小画面サイズのまま画像が表示される（ステップＳ１８）。
【００６０】
次に、明るさセンサ３の検出値が、設定値Ｌ３を超え、設定値Ｌ２以下であると判定されたときは（ステップＳ２０）、画面サイズ制御部８の画面サイズ切換手段は、画面サイズ設定処理部６の画面サイズ情報に基づいて現在の画面サイズが中画面サイズであるか否かを判定する（ステップＳ２１）。前記現在の画面サイズが中画面サイズでないと判定されたとき、画面サイズ制御部８の画面サイズ切換手段は、画面サイズ設定処理部６を制御して現在の画面サイズから中画面サイズに切り換える（ステップＳ２２）。なお、前記現在の画面サイズが中画面サイズであると判定されたときは、中画面サイズのまま画像が表示される（ステップＳ２３）。
【００６１】
次に、明るさセンサ３の検出値が、設定値Ｌ２を超え、設定値Ｌ１以下であると判定されたとき、または設定値Ｌ１を超えると判定されたときは（ステップＳ２４）、画面サイズ制御部８の画面サイズ切換手段は、画面サイズ設定処理部６の画面サイズ情報に基づいて現在の画面サイズが大画面サイズであるか否かを判定する（ステップＳ２５）。
【００６２】
前記現在の画面サイズが大画面サイズでないと判定されたとき、画面サイズ制御部８の画面サイズ切換手段は、画面サイズ設定処理部６を制御して現在の画面サイズから大画面サイズに切り換える（ステップＳ２６）。なお、前記現在の画面サイズが大画面サイズであると判定されたときは、大画面サイズのまま画像が表示される（ステップＳ２７）。ステップＳ１８またはステップＳ１９またはステップＳ２２またはステップＳ２３またはステップＳ２６またはステップＳ２７の処理の後は、電源がオフされるまでは（ステップＳ２８）、同様な処理が行われる。
【００６３】
以上説明したように、３段階画面サイズ自動切換モードでは、テレビジョン受像機が置かれている部屋の明るさが、段階的に暗くなって、設定された明るさランクの示す明るさになったとき、ディスプレイ装置９に表示される画面のサイズを大画面から中画面に、中画面から小画面に切り換えることができるので、前記第１の実施形態で説明したような同様な効果を発揮することができる。
【産業上の利用可能性】
【００６４】
本発明は、テレビジョン受像機において画面サイズを切り換える機能に利用可能であり、周囲の明るさに応じて画面サイズを切り換えることができるようにする。
【図面の簡単な説明】
【００６５】
【図１】本発明の第１，第２の実施形態に係るテレビジョン受像機の構成を示すブロック図である。
【図２】第１，第２の実施形態においてディスプレイ装置に表示される画面サイズ切換モード選択画面の一例を示す表示画面図である。
【図３】図２に示す画面サイズ切換モード選択画面Ｇ１に表示されている項目「２段階画面サイズ自動切換モード」がリモコン操作により選択され決定された場合にディスプレイ装置に表示される２段階画面サイズ設定項目画面の一例を示す表示画面図である。
【図４】図２に示す画面サイズ切換モード選択画面Ｇ１に表示されている項目「３段階画面サイズ自動切換モード」がリモコン操作により選択され決定された場合にディスプレイ装置に表示される３段階画面サイズ設定項目画面の一例を示す表示画面図である。
【図５】図２に示す画面サイズ切換モード選択画面Ｇ１に表示されている項目「画面サイズ手動切換モード」がリモコン操作により選択され決定された場合にディスプレイ装置に表示される画面サイズ手動設定項目画面の一例を示す表示画面図である。
【図６】第１の実施形態において画面サイズが縮小された場合と画面サイズが拡大された場合を説明するための表示画面図である。
【図７】第１の実施形態において２段階画面サイズ自動切換モードに設定された場合および画面サイズ手動切換モードに設定された場合の処理を説明するためのフローチャートである。
【図８】第２の実施形態において３段階画面サイズ自動切換モードに設定された場合の処理を説明するためのフローチャートである。
【符号の説明】
【００６６】
７    明るさセンサ
８    画面サイズ制御部
９    ディスプレイ装置
【図１】
2008236299.tif 000003
【図２】
2008236299.tif 000004
【図３】
2008236299.tif 000005
【図４】
2008236299.tif 000006
【図５】
2008236299.tif 000007
【図６】
2008236299.tif 000008
【図７】
2008236299.tif 000009
【図８】
2008236299.tif 000010